(57)【要約】本発明の方法は、水中に溶解したセレン濃度を低減する方法であり、固体セレン含有粒子を有する水と、セレンと結合する金属とを容器に導入すること、および金属セレン化合物を前記水から沈殿させることを含む。溶解したセレン濃度を低減するまたは溶解したセレンの溶解性を低下させる方法であって、前記水に電子源を供給して溶解したセレン化合物を沈殿させることを含む、方法も開示されている。溶解したセレン濃度を低減するまたは溶解したセレンの溶解性を低下させるシステムも開示されている。前記システムは、水源と流体的に接続する容器、少なくとも１種の固体金属源、および前記金属源と電気的に接続する電圧原を含む。【選択図】図２
2019504752.tif 000002
【特許請求の範囲】
【請求項１】
固体セレン含有粒子を有する水中に溶解したセレン濃度の低減方法であって、
前記固体セレン含有粒子を有する水を容器内に導入すること；、
セレンと結合する金属を前記容器に導入して、実質的に水不溶性金属セレン化合物を形成させること；
前記金属セレン化合物を前記水から沈殿させること；および
沈殿した前記金属セレン化合物を前記水から分離して前記水よりも低濃度の溶解したセレンを有する汚染除去水を生成することを含む、セレン濃度の低減方法。
【請求項２】
前記金属セレン化合物が、前記水中に溶解された、前記金属のイオン体およびセレンのイオン体から形成される条件を設けることをさらに含む、請求項１に記載の方法。
【請求項３】
前記金属セレン化合物が沈殿する条件を設けることは、ｐＨ、温度、および前記水中の金属濃度の少なくとも１つを調整することを含む、請求項２に記載の方法。
【請求項４】
前記容器に前記水を導入する前の前記水から前記固体セレン含有粒子の少なくとも一部を除去することをさらに含む、請求項１に記載の方法。
【請求項５】
前記固体セレン含有粒子の少なくとも一部を除去することは、磁気分離、遠心分離、膜濾過、カートリッジ濾過、または液体サイクロンのいずれか１つにより前記固体セレン含有粒子の少なくとも一部を除去することを含む、請求項４に記載の方法。
【請求項６】
前記金属を前記容器に導入することは、水溶性金属塩を前記容器に導入することを含む、請求項１に記載の方法。
【請求項７】
前記金属を前記容器に導入することは、固体金属源を前記容器に導入することを含む、請求項１に記載の方法。
【請求項８】
前記固体金属源を前記容器に導入することは、前記容器の少なくとも一部を前記金属で形成すること、および、前記容器に前記水を送るよう構成された導管の少なくとも一部を前記金属で形成することのうちの１つを含む、請求項７に記載の方法。
【請求項９】
前記金属のイオン体を形成させるために前記容器内の前記固体金属源に電圧を印加すること；および
前記金属セレン化合物が、前記水中に溶解された、前記金属のイオン体およびセレンのイオン体から形成される条件を設けることをさらに含む、請求項７に記載の方法。
【請求項１０】
前記金属を前記容器に導入することは、ビスマス、カドミウム、銅、ゲルマニウム、鉄、マンガン、ニッケル、銀、ストロンチウム、タリウム、スズ、チタン、イッテルビウム、亜鉛、ジルコニウム、およびそれらの混合物からなる群から選択される金属を前記容器に導入することを含む、請求項１に記載の方法。
【請求項１１】
固体セレン含有粒子を有する水中おける、溶解したセレン濃度を低減するまたはセレンの溶解を低下させる方法であって、
前記固体セレン含有粒子を有する前記水を容器に導入すること；
前記水と電気的に接続する電子源を設けること；および
電子が前記電子源から前記固体セレン含有粒子に移動して、溶解したセレン化合物を沈殿するまたは前記水への前記固体セレン含有粒子の溶解を低下させる条件を設けること、を含む方法。
【請求項１２】
前記沈殿したセレン化合物を前記水から分離して汚染除去水を生成することをさらに含む、請求項１１に記載の方法。
【請求項１３】
前記容器に前記水を導入する前の前記水から前記固体セレン含有粒子の少なくとも一部を除去することをさらに含む、請求項１１に記載の方法。
【請求項１４】
前記固体セレン含有粒子の少なくとも一部を除去することは、磁気分離、遠心分離、膜濾過、カートリッジ濾過、または液体サイクロンのいずれか１つにより前記固体セレン含有粒子の少なくとも一部を除去することを含む、請求項１３に記載の方法。
【請求項１５】
前記電子源を設けることは、カートリッジ内に配置されたゼロ価の鉄媒体を前記容器内に導入することを含む、請求項１１に記載の方法。
【請求項１６】
前記電子源を設けることは、前記容器の反応器上流部内に配置したゼロ価の鉄媒体と前記容器内の前記水との間の電気的な接続を設けることを含む、請求項１１に記載の方法。
【請求項１７】
前記電子源を設けることは、前記ゼロ価の鉄媒体を含む前記反応器と電気的に接続する１以上のワイヤに、前記容器内の前記水が接触することを含む、請求項１６に記載の方法。
【請求項１８】
前記電子源を設けることは、前記水と電気的に接続する電極を設けることを含む、請求項１１に記載の方法。
【請求項１９】
水中に溶解したセレン濃度を低減するまたは水中の固体セレンの溶解を低下させるシステムであって、
固体セレン含有粒子を有する水源に対して流体的に接続可能な容器；
セレンと結合して実質的に水不溶性の金属セレン化合物を前記容器内に形成する金属を有する少なくとも１種の固体金属源；および
前記少なくとも１種の固体金属源に電気的に接続可能な電圧源、
を有する、システム。
【請求項２０】
前記容器の上流部に配置され、かつ前記固体セレン含有粒子を前記水源から除去するように構成されたフィルタをさらに有する、請求項１９に記載のシステム。
【請求項２１】
前記金属は、ビスマス、カドミウム、銅、ゲルマニウム、鉄、マンガン、ニッケル、銀、ストロンチウム、タリウム、スズ、チタン、イッテルビウム、亜鉛、ジルコニウム、およびそれらの混合物からなる群から選択される、請求項１９に記載のシステム。
【請求項２２】
前記電圧源は、正電極および／または負電極を含む、請求項１９に記載のシステム。
【発明の詳細な説明】
【技術分野】
【０００１】
関連出願
本出願は、２０１６年２月１０日に出願された、題名「微量セレンの処理」の米国仮特許出願第６２／２９３，５０４号に基づく優先権を米国特許法第１１９（ｅ）条の下で主張するものであり、その全体が参照により本明細書に組み込まれる。
【０００２】
本明細書に開示される実施態様および実施形態は、水中の溶解したセレンの濃度を低下させるシステムおよび方法に関する。より詳細には、開示される態様および実施形態は金属セレン化合物を沈殿させることによって固体セレン含有粒子を有する水から溶解セレンを除去するシステムおよび方法に関する。
【発明の概要】
【課題を解決するための手段】
【０００３】
実施態様によれば、固体セレン含有粒子を有する水中の溶解したセレン濃度を低減する方法であって、前記固体セレン含有粒子を有する前記水を容器に導入することと、セレンと結合する金属を前記容器に導入して、実質的に水不溶性の金属セレン化合物を生成させることと、前記金属セレン化合物を前記水から沈殿させることと、および沈殿した前記金属セレン化合物を前記水から分離して前記水よりも低濃度の溶解したセレンを有する汚染除去水を生成することを含む方法を提供するものである。
【０００４】
いくつかの実施形態では、前記方法は、前記金属セレン化合物が、前記水中の溶解した、前記金属のイオン体およびセレンのイオン体から形成される条件を設けることをさらに含む。前記金属セレン化合物が沈殿する条件を設けることは、ｐＨ、温度、および前記水中の前記金属の濃度のうち少なくとも１つを調整することを含んでもよい。
【０００５】
いくつかの実施形態によれば、前記金属を前記容器に導入することは、水溶性金属塩を前記容器に導入することを含む。前記水溶性金属塩は、セレンと結合して水不溶性の金属セレン化合物を実質的に形成する前記金属の塩であってもよい。
【０００６】
いくつかの実施形態によれば、前記容器に前記金属を導入することは、固体金属源を前記容器に導入することを含む。少なくともいくつかの実施形態では、前記固体金属源は、前記容器の少なくとも一部を前記金属で形成すること、または前記容器に前記水を輸送するよう構成された導管の少なくとも一部を前記金属で形成することによって導入してもよい。本発明の方法は、前記金属のイオン体を生成させるために前記容器内の固体金属源に電圧を印加すること、ならびに前記金属セレン化合物が、前記水中に溶解した、前記金属のイオン体およびセレンのイオン体から形成する条件を設けることをさらに含んでもよい。いくつかの実施形態では、前記容器に前記金属を導入することは、ビスマス、カドミウム、銅、ゲルマニウム、鉄、マンガン、ニッケル、銀、ストロンチウム、タリウム、スズ、チタン、イッテルビウム、亜鉛、ジルコニウム、およびそれらの混合物からなる群から選択される金属を前記容器に導入することを含む。
【０００７】
別の態様によれば、固体セレン含有粒子を有する水中に溶解したセレン濃度を低減する方法であって、前記固体セレン含有粒子を有する水を容器に導入すること、前記水と電気的に接続した電子源を設けること、および電子が前記電子源から前記固体セレン含有粒子に移動して、溶解したセレン化合物を沈殿させる条件を設けること、を含む方法を提供するものである。
【０００８】
別の態様によれば、固体セレン含有粒子を有する水中におけるセレンの溶解を低下させる方法であって、前記固体セレン含有粒子を有する前記水を容器に導入すること、前記水と電気的に接続する電子源を設けること、および電子が前記電子源から前記固体セレン含有粒子に移動して前記水中の前記固体セレン含有粒子の溶解を低下させる条件を設けることを含む方法を提供するものである。
【０００９】
本明細書で開示される方法は、沈殿したセレン化合物を前記水から分離して汚染除去水を生成することをさらに含んでもよい。
【００１０】
いくつかの実施形態では、前記水と電気的に接続する電子源を提供することは、カートリッジ内に配置されたゼロ価の鉄媒体を容器内に導入することを含む。
【００１１】
少なくともいくつかの実施形態によれば、前記水と電気的に接続する電子源を提供することは、前記容器の反応器上流部内に配置されたゼロ価の鉄媒体と容器内の前記水との間に電気的な接続を設けることを含む。例えば、電気的接続を設けることは、前記ゼロ価の鉄媒体を含む前記反応器と電気的に接続される１以上のワイヤに、前記容器内の前記水が接触することを含んでもよい。
【００１２】
いくつかの実施形態では、前記水と電気的に接続する電子源を提供することは、前記水と電気的に接続する電極を設けることを含む。
【００１３】
本明細書で開示される方法は、前記固体セレン含有粒子の少なくとも一部を前記水から除去することをさらに含んでもよい。例えば、前記容器に前記水を導入する前に、前記固体セレン含有粒子の少なくとも一部を前記水から除去してもよい。前記固体セレン含有粒子の少なくとも一部を除去することは、磁気分離、遠心分離、膜濾過、カートリッジ濾過、または流体サイクロンによる除去のうちの１つを含んでもよい。
【００１４】
別の態様によれば、容器、少なくとも１つの固体金属源、および電圧源を含む、水中に溶解したセレン濃度を低減する、または水中の固体セレンの溶解を低下させるためのシステムが提供される。前記容器は、固体セレン含有粒子を有する水源に流体接続可能であってもよい。前記少なくとも１つの固体金属源は、セレンと結合して実質的に水不溶性の金属セレン化合物を形成する金属を含んでもよい。前記固体金属源を前記容器内に配置してもよい。前記電圧源は、前記少なくとも１つの固体金属源に電気的に接続可能であってもよい。
【００１５】
いくつかの実施形態では、本発明のシステムは、前記容器の上流部に配置されたフィルタをさらに備えることができる。前記フィルタは、固体セレン含有粒子を前記水源から除去するように構成してもよい。
【００１６】
いくつかの実施形態では、前記電圧源は、正電極および／または負電極を含む。
【００１７】
ある実施形態によれば、前記金属は、ビスマス、カドミウム、銅、ゲルマニウム、鉄、マンガン、ニッケル、銀、ストロンチウム、タリウム、スズ、チタン、イッテルビウム、亜鉛、ジルコニウム、およびそれらの混合物からなる群から選択されてもよい。
【００１８】
添付の図面は一定の縮尺で描かれているものではない。図面において、種々の図に示されている同一または実質同一の各構成要素は、同様の番号で表されている。明確性の観点から、各図面の全構成要素に符号をしてはいない。図面は以下の通りである。
【図面の簡単な説明】
【００１９】
【図１】図１は、セレン廃水処理システムにおけるゼロ価の鉄系反応器および下流部の容器におけるセレン濃度のグラフである。
【図２】図２は、固体セレン含有粒子を有する水中の溶解したセレン濃度を低減する方法のフローチャートの一態様である。
【図３】図３は、固体セレン含有粒子を有する水中において、溶解したセレン濃度を低減する方法の代替またはセレンの溶解を低下させる方法の代替を示すフローチャートの一態様である。および
【図４】図４は、水中に溶解したセレン濃度を低減する、または水中の固体セレンの溶解を低下させるためのシステムの概略図の一態様である。
【発明を実施するための形態】
【００２０】
詳細な説明
石炭火力発電所、石油精製所および採掘作業に関連した施設において行われるプロセスから生じる廃水は、セレンなどの金属やメタロイドで汚染されている可能性がある。セレンは高レベルで毒性を示し、セレン種によっては発癌性を示す可能性がある。セレンは自然界において様々な形態で存在し、セレンに汚染された水や廃水の処理は複雑化している。
【００２１】
セレンの処理や除去システムとしては、可溶性セレンをその金属形態であるＳｅ（０）およびその還元形態であるＳｅ（−ＩＩ）といったセレナイド（セレン化物）に化学的に還元する方法を用いることができる。例えば、水からセレンを除去するための工業的に利用可能な技術は、生物学的処理およびゼロ価の鉄（ＺＶＩ）処理の２つが挙げられる。ＺＶＩ処理は、酸化還元反応、吸着、および反応器内での共沈殿によって異なる酸化状態のセレンを除去することができる。ＺＶＩおよび鉄共沈処理システムでは、可溶性形態のセレンは、処理溶液中に存在する第一鉄イオンおよび第二鉄イオンと結合して不溶性種を生成する。同様に、必ずしも必要ではないが、金属は、可溶性セレンイオンと結合する特定の生物学的処理システム内にも存在してもよい。
【００２２】
一般に、このような方法またはシステムによって処理された水（処理済水）は、溶解したセレン濃度が非常に低い値を示す。化学的還元反応条件において、鉄セレン化合物またはその他の金属セレン化合物の形成と溶解とは、平衡関係であるため、不溶性金属セレン化合物の形成にとっては好都合になる。いくつかの例では、形成された不溶性金属セレン化合物は、下流処理または使用目的で除去されている処理済水の状態で反応器から漏洩している。これらの形成された不溶性金属セレン化合物は、最終的には下流部の反応器または容器まで行き着く可能性がある。例えば、吸着されたセレンを有するＺＶＩ媒体は、ＺＶＩ反応器から下流部の浄化器内まで行き着く可能性がある。
【００２３】
例えば、浄化器内で起こりうる大気曝露、またはＺＶＩ共沈反応もしくは金属共沈反応から下流部で起こりうる第二鉄反応副産物（Ｆｅ＋３）への曝露といった酸化条件下において、不溶性可溶性セレンの平衡反応は、不溶性金属セレン化合物の生成にとっては有利な状態から低濃度セレンの再溶解にとって有利な状態にシフトする。酸化条件が十分に強く作用する場合、溶解したセレンは、処理済水中では亜セレン酸塩（ＳｅＯ３２-）またはセレン酸塩（Ｓｅ２Ｏ４２−）の形態をとって存在することがある。例えば、セレン化鉄が水に対して難溶性を呈するため、処理済水が還元雰囲気内に存在するときから、残留セレンデ（Ｓｅ２−）は処理済水中に存在しうる。セレンの再溶解は、前処理済の水におけるセレン濃度を上げるので望ましくない。
【００２４】
例示的なＺＶＩシステムでは、廃水は鉄含有反応器内に残留していたが、セレンは低濃度であることが認められた。廃水が汚水として反応器に残留した後、セレンは溶液に再浸透し始めた。図１は、異なるＺＶＩシステムチャンバ内のセレン濃度のグラフである。処理済水は出口部（図１にＲ４として示されている）からＺＶＩ反応器を出て、浄化器操作ユニット内の第１タンクである曝気タンクに入る。水は、浄化器ユニットの終着点である浄化器の排出口から処理システムを出る。図１に示すように、Ｒ４出口地点における前記水中のセレン濃度は、曝気タンクの流入水および浄化器の排出物におけるセレン濃度よりもそれぞれ低い。したがって、セレンはこれらの箇所の間ではますます再溶解すると考えられる。理想的には、セレン濃度が、Ｒ４出口部の廃水と同程度の低い状態で維持されうることである。
【００２５】
セレン沈殿技術は、図１に示すように、少なくとも２．０ｐｐｂ（ｐａｒｔｓ  ｐｅｒ  ｂｉｌｌｉｏｎ）のセレン濃度を有する処理済水を生成することができる。しかし、上記の説明した反応によって、溶解したセレン濃度は、処理済水の後処理段階で徐々に高くなる可能性がある。セレン濃度に関する排出物の要求が非常に低い場合、処理済水中へのセレンの再溶解の濃度を低下させるまたは軽減させる実行可能な方法が欠如すると、信頼できるセレン除去溶液の確立に至るまで、セレンの沈殿技術を発展させようとする試みを妨げることになる。
【００２６】
固体セレン含有粒子を有する水中の溶解セレン濃度を低下させるためのシステムおよび方法が本明細書に開示される。特に、本明細書に開示されたシステムおよび方法は、酸化剤に曝された水中で使用されるものであり、これによって固体セレンの少なくとも一部が前記水に溶解し、前記水中に溶解したセレン濃度が高くなる。
【００２７】
一態様によれば、固体セレン含有粒子を有する水中の溶解したセレン濃度を低下させる方法を提供する。例示的な方法のフローチャートを図２に示す。当該例示的なフローチャートによる方法は、固体セレン含有粒子を有する水を容器に導入すること（操作２０１）、セレンと結合する金属を容器に導入して（操作２０２）、実質的に水不溶性の金属セレンを形成すること（操作２０３）、金属セレン化合物を前記水から沈殿させること（操作２０４）、および沈殿した金属セレン化合物を前記水から分離して（操作２０６）、前記汚染された水より低濃度の溶解セレンを有する汚染除去水を生成することを含む。いくつかの実施形態では、本発明の方法は、金属セレン化合物が前記金属のイオン体および前記水中に溶解したセレンのイオン体から形成される条件を設けること（操作２０５）をさらに含んでもよい。いくつかの実施形態では、本発明の方法は、容器に前記水を導入する前に、固体セレン含有粒子の少なくとも一部を前記水から除去する（操作２０７）ことをさらに含んでもよい。
【００２８】
特定の実施形態によれば、前記固体セレン含有粒子を有する水は、セレン除去システムからの生成物を含む。固体セレン含有粒子は、水からセレンを除去して構成された反応器内で形成された、鉄セレン粒子またはその他の金属セレン粒子を含んでもよい。例えば、前記粒子は、ＺＶＩ反応器または生物反応器のような反応器中で形成されていてもよい。前記固体セレン含有粒子を有する水は、例えば大気などの酸化剤に曝されると、溶解したセレン濃度が上昇する現象も起こりうる。本明細書に開示されたシステムおよび方法は、前記水中に溶解したセレン濃度が低減することを目的として提供される。いくつかの実施形態において、前記固体セレン含有粒子を有する水は、約２．５ｐｐｂ〜約１０．０ｐｐｂの間の溶解セレンを含む。前記固体セレン含有粒子を有する水は、約２．５ｐｐｂ〜約８．０ｐｐｂのセレンを含んでもよく、または約４．０ｐｐｂ超のセレンを含んでもよい。
【００２９】
いくつかの実施形態では、本発明の方法は、固体セレン含有粒子を有する水を収容できるよう構成された浄化器、曝気タンク、または濃縮タンクに対して、前記水または金属を導入することを含む。いくつかの実施形態では、容器に水または金属を導入することは、反応器、タンク、または導管に前記水または金属を導入することを含む。浄化器、曝気タンク、または濃縮タンク中の内容物は、大気雰囲気またはその他の酸化剤に曝されてもよい。前記反応器、タンク、または導管は、封止されても、または酸化剤に曝されてもよい。容器に前記水および金属を導入することは、前記水と前記金属との間の物理的接触を生じさせることをさらに含む。
【００３０】
ある実施形態によれば、金属はセレンと結合して実質的に水不溶性の金属セレン化合物を形成する金属セレン化合物は様々な程度の溶解度を有する。本明細書で開示するように、金属セレン化合物は、金属（Ｍｘ）およびセレン（Ｓｅｙ）を含む化合物である金属セレン化合物（ＭｘＳｅｙ）は、金属と、例えば金属セレナイド（Ｍｘ＋Ｓｅ２＋）、金属亜セレン酸塩、（Ｍｘ＋ＳｅＯ３２−）、セレン酸塩（Ｍｘ＋ＳｅＯ４２−）種といった酸化セレン種との反応から形成してもよい。
【００３１】
表１により、いくつかの金属セレナイド、亜セレン酸塩およびセレン酸塩の溶解特性を示す。前記水中の各溶解セレン種の特定の濃度は、周囲雰囲気中の還元／酸化剤の程度に依存しうる。水に対する溶解特性は、表１で示されるように、金属および利用可能な酸化セレン種に依存する。
表１：水に対する金属セレン化合物の溶解性
【００３２】
【表１】
2019504752.tif 000003
【００３３】
表１によれば、金属セレン化合物は不溶であることが示されているが沈殿してもよい。可溶または分解する金属セレン化合物は水中で沈殿しなくてもよい。いくつかの実施形態では、実質的に水不溶性の金属セレン化合物は、表１に列挙される不溶性化合物であってもよい。しかしながら、水不溶性の金属セレン化合物は、表１に記載の化合物に限定されない。如何なる実質的な水不溶性の金属セレン化合物であっても、沈殿しても、かつ前記水から分離されてもよい。
【００３４】
不溶性の金属セレン化合物には、不溶性金属セレナイド化合物、不溶性金属亜セレン酸化合物、および不溶性金属セレン酸化合物が含まれる。表１に示す金属セレナイド種の多くは不溶性である。銅、チタン、イッテルビウム、およびジルコニウムは、表１の不溶性金属亜セレン酸種を形成する。さらに、表１の金属セレン酸種は主に可溶性であるが、鉛およびストロンチウムのセレン酸塩は不溶性を示す。
【００３５】
表１は、金属セレン酸塩および金属セレナイドの溶解度に関する知見を主に含むものである。セレン酸（塩）は、自然界環境において最も酸化された形態のセレンであり、一般的に、処理中に金属セレン、亜セレン酸塩またはセレナイド（セレン化物）に還元される。多くの場合、セレンの処理工程後には、当該処理工程中の還元作用によるセレンの一般的性質により、セレン単体の形態では存在しない。２番目に酸化された形態である亜セレン酸（塩）は、容易に酸化されてセレン酸（塩）になりうる。したがって、いくつかの実施形態では、セレンは、亜セレン酸（塩）の形態として長期間存在しないことがある。
【００３６】
本明細書で開示されるシステムおよび方法は、金属と溶解したセレンとが結合することによって金属セレン化合物を生成する。特定の実施形態では、金属は、実質的に水不溶性金属セレン化合物を形成する金属であってもよい。金属は、表１に挙げられた金属および化合物に限定されない。いくつかの実施形態では、前記金属はビスマス、カドミウム、銅、ゲルマニウム、鉄、鉛、マンガン、水銀、ニッケル、銀、ストロンチウム、タリウム、スズ、チタン、イッテルビウム、亜鉛、ジルコニウムおよびそれらの混合物からなる群から選択されてもよい。
【００３７】
いくつかの実施形態によれば、容器に金属を導入することは、前記容器に水溶性金属塩を導入することを含む。水溶性金属塩は、セレンと結合して実質的に水不溶性の金属セレン化合物を形成する金属塩であってもよい。例えば、いくつかの実施形態において、水溶性金属塩は、ビスマス、カドミウム、銅、ゲルマニウム、鉄、鉛、マンガン、水銀、ニッケル、銀、ストロンチウム、スズ、チタン、イッテルビウム、亜鉛、ジルコニウム、およびそれらの混合物からなる群から選択される金属の塩であってもよい。特定の実施形態によれば、可溶性塩は限定されることはないが、塩化物塩および硫酸塩が含まれる。
【００３８】
水溶性金属塩を容器中に導入すること、つまり水溶性金属塩を前記水中に導入すると、前記水中に溶解したセレンと反応する溶解した金属イオン（体）が生成しうる。溶解した金属イオン（体）および溶解したセレンは、本明細書で前述した特定の実施形態によれば、水不溶性金属セレン化合物を形成しうる。いくつかの実施形態では、本発明の方法では、金属セレン化合物が金属のイオン体および前記水中に溶解したセレンから形成され、前記水から沈殿して固体金属セレン化合物を生成する条件を設けることを含む。
【００３９】
いくつかの実施形態によれば、容器に金属を導入することは、本明細書で前述したように、固体金属源を容器に導入することを含む。少なくとも１つの固体金属源は、セレンと結合し実質的に水不溶性の金属セレン化合物を形成する金属を含んでもよい。例えば、容器に金属を導入することは、ビスマス、カドミウム、銅、ゲルマニウム、鉄、鉛、マンガン、水銀、ニッケル、銀、ストロンチウム、タリウム、スズ、チタン、イッテルビウム、亜鉛、ジルコニウム、およびこれらの混合物からなる群から選択される金属を固体形状で容器に導入してもよい。固体金属源の導入は、前記固体金属源と固形セレン含有粒子または溶解セレンを有する水とが接触するように、前記固体金属源を容器内に配置することを含んでもよい。いくつかの実施形態では、本発明の方法は、１つ以上の固体金属ユニットを導入することを含む。いくつかの実施形態では、本発明の方法は、固体金属源が溶解し、金属イオン（体）および／または電子を容器内にリリースする条件を設けることを含む。
【００４０】
少なくともいくつかの実施形態では、固体金属源は、容器の少なくとも一部を金属で形成することによって導入してもよく、または容器に前記水を輸送するように構成された導管の少なくとも一部を金属で形成することによって導入してもよい。例えば、本発明の方法は、容器または前記容器に流体的に接続した導管を、金属で裏打ちすることを含んでもよい。いくつかの実施形態では、本発明の方法は、金属を含有する、裏地もしくは内部に露出した表面を、容器内もしくは容器に流体的に接続された導管内に、前記金属が前記水と接触するように取り付けることを含んでもよい。
【００４１】
本明細書で開示されるシステムおよび方法は、金属セレン化合物を前記水から沈殿させることを構成とする、または含む。いくつかの実施形態では、セレンと結合する金属を容器に導入することによって、不溶性の金属セレン化合物が形成され、容易に沈殿する。不溶性金属セレン化合物の濃度は、容器に導入される金属濃度、前記水中の溶解したセレン濃度、または金属セレン化合物の飽和溶解度に依存しうる。それぞれの場合において、金属セレン化合物を沈殿させることは、可溶性の金属セレン化合物または溶解したセレンがほとんどまたは全く前記水中に残留しないように金属セレン化合物を完全に沈殿させることを含む。
【００４２】
いくつかの実施形態では、本発明の方法は、金属のイオン体および前記水中に溶解したセレンのイオン体から金属セレン化合物を形成する条件を設けることをさらに含む。例えば、金属セレン化合物が形成される条件を設けることは、ｐＨ、温度、および前記水中の金属の濃度のうち少なくとも１つを調整することを含んでもよい。化合物が容易に形成されるような特定の条件は、容器に導入される金属および周囲雰囲気における還元／酸化の程度に依存してもよい。
【００４３】
本発明の方法は、形成された金属セレン化合物が溶液から沈殿する条件を設けることをさらに含んでもよい。前記形成された化合物が沈殿しうる特定の条件は、ｐＨ、温度、および前記水中の化合物濃度のうち少なくとも１つに依存しうる。したがって、形成される金属セレン化合物が沈殿する条件としては、ｐＨ、温度、イオン濃度のうち少なくとも１つを調整することが挙げられる。いくつかの実施形態において、本発明の方法は、ｐＨを約５．０〜約１１．０、約６．０〜約９．０、または約７．０〜約７．５に調整することを含んでもよい。
【００４４】
水中の溶解したセレン濃度を低減する方法は、金属のイオン体を生成するために容器内の固体金属源に電圧を印加することをさらに含んでもよい。特定の理論に拘束されることを意図するものではないが、一般に、外部電源を固体金属源に印可すると、金属は溶解して前記水中でイオン体を形成する。固体金属源は金属カチオンをリリースすることができる。金属が溶解するにつれて、固体金属源は、電気的接続、例えば電線を介して表面が負電荷に帯電した端子または負電極に流れうる電子を、リリースしてもよい。いくつかの実施形態では、固体金属源は、セレン種との反応のために金属カチオンを供給してもよく、および／またはセレンを還元する電子を供給してもよい。
【００４５】
いくつかの実施形態では、金属のイオン体は、溶解したセレンまたは溶解したセレンのイオン体と反応して水不溶性金属化合物を形成する。例えば、本発明の方法は、電圧源を設けること、前記電圧源を容器内の固体金属源と接触させることを含んでもよい。固体金属源に電気的に接続された電極またはワイヤを設けることによって、電圧源を固体金属源と接触させてもよい。前記電圧源は、ワイヤまたは正電極を介して固体金属源に接続されてもよく、また固体金属源が溶解した際にリリースされる電子が、回路を通って（例えばワイヤまたは他の接続を通って）第２の負電極に流れるよう前記電圧源は第２の負電極に接続されてもよい。
【００４６】
いくつかの実施形態では、本発明の方法は、金属セレン化合物が金属のイオン体および前記水中に溶解したセレンのイオン体から沈殿してもよい条件を設けることを含んでもよい。
【００４７】
別の態様によれば、固体セレン含有粒子を有する水中の溶解したセレン濃度を低下させる別の方法が提供される。例示的な方法のフローチャートを図３に示す。この例示的フローチャートによる方法は、前記固体セレン含有粒子を有する水を容器に導入すること（操作３０１）、前記水と電気的に接続する電子源を提供すること（操作３０８）、および電子が前記電子源から固体セレン含有粒子へと移動する条件を提供すること（操作３０９）、溶解したセレン化合物を沈殿させる（操作３０４）ことを含む。いくつかの実施形態では、本発明の方法は、沈殿したセレン化合物を前記水から分離すること（操作３０６）をさらに含んでもよい。いくつかの実施形態では、本発明の方法は、前記水を容器に導入する前に、固体セレン含有粒子の少なくとも一部を前記水から除去すること（操作３０７）をさらに含んでもよい。
【００４８】
少なくともいくつかの実施形態によれば、前記水と電気的に接続する電子源を提供することは、容器内の前記水と、容器内または前記容器の上流部の１つ以上の反応器内に配置されたＺＶＩ媒体と、の間に電気的な接続を提供することを含む。特定の理論に拘束されることを意図するものではないが、化学的な酸化反応プロセスの間、ゼロ価の鉄は、溶解したセレンカチオンおよび例えば固体セレン含有粒子のようなオキシアニオンを不溶性形態に化学的に還元する電子発生剤として作用すると考えられている。セレンを還元する反応の間、溶解したセレンの形態で鉄の表面に吸着しており、酸化鉄の副生成物内に化学的に包含されている。一般に、鉄系金属は、鉄または不溶性セレン鉄錯体に沈着する固体状態にセレンのイオン体を還元するために使用することができる。しかし、前述のように、不溶性のセレン鉄錯体は、下流部の反応器中でセレンを前記水に再溶解する目的で酸化されてもよい。下流部の反応器にＺＶＩ媒体が生成した電子を供給することによって、溶解したセレンは還元され、または不溶性のセレン鉄錯体に再沈殿することがある。
【００４９】
いくつかの実施形態では、ＺＶＩ媒体は、例えば、ナノ粒子および／またはマイクロ粒子を含みうる粒子の形態として提供される。ＺＶＩ媒体は、追加的または代替的にスチールウールの形態で提供されてもよい。いくつかの実施形態では、前記水と電気的に接続する電子源を提供することは、カートリッジ内に配置されたＺＶＩ媒体を容器内に導入することを含む。例えば、ＺＶＩ媒体は、カートリッジ、流動床反応器、充填床反応器、または混合床反応器のうち少なくとも１つに配置されてもよい。いくつかの実施形態では、ＺＶＩ媒体および／または反応器またはＺＶＩ媒体を含む反応器は、例えば、セレン、水銀、ヒ素もしくは他の金属、または硝酸塩といった物質のイオン体を代謝によって還元できる微生物または細菌集団を実質的にまたは完全に含まずに提供される。
【００５０】
容器の反応器上流部に配置されたＺＶＩ媒体と前記容器内の前記水との間に電気的接続を設けることは、ゼロ価の鉄媒体を含む前記反応器と電気的に接続する１以上のワイヤに、前記容器内の前記水が接触することを含んでもよい。いくつかの実施形態では、容器の上流部におけるＺＶＩ媒体と容器内の前記水との間に電気的に接続を提供することは、１以上のスチールまたは上流部のＺＶＩ反応器から容器に水を輸送するように構成された金属含有導管を提供することを含んでもよい。反応器内のＺＶＩ媒体によって生成された電子は、溶解したセレンまたはセレンのイオン体を還元または再沈殿させることができる。
【００５１】
特定の実施形態によれば、前記水と電気的に接続する電子源を提供することは、前記水と電気的に接続する電極を提供することを含む。いくつかの実施形態では、電極は、外部電気源に接続されてもよい。例えば、電極は、電池、回路、または他の電源に接続されてもよい。電極は、ゼロ価の鉄媒体に関して上述したように、電子を前記水に供給してセレン化合物を還元することができる。
【００５２】
本発明の方法は、電子が電子源から固体セレン含有粒子に移動する条件を設けることをさらに含んでもよい。例えば、本発明の方法は、ゼロ価の鉄媒体または電極から固体セレン含有粒子を有する水への電子の移動を促進することを含んでもよい。電子は、電子源から水または１以上のワイヤを介して固体セレン含有粒子に移動することができる。いくつかの実施形態では、電子源から固体セレン含有粒子に電子が移動する条件を設けることは、前記水のｐＨもしくは温度を調整すること、または電子源もしくは外部電源の電圧、電力、もしくは強度を調整することのうち１以上を含む。いくつかの実施形態では、前記水中に溶解セレンがわずかしか存在しない。したがって、溶解したセレンが極微量または全く沈殿しないことがある。前記水から溶解したセレン化合物を沈殿させること（操作３０４）に代わり、またはさらに、本発明の方法は、前記水における固体セレン含有粒子の溶解を低下させること（操作３１０）を含んでもよい。この違いは、図３に示すように、決定行為３２０によって例示される。
【００５３】
別の態様によれば、図３のフローチャートの例示的な方法としても示されるように、固体セレン含有粒子を有する水中のセレンの溶解を低下させる方法が提供され、本発明の方法は、固体セレン含有粒子を有する水を容器に導入し（操作３０１）、前記水と電気的に接続する電子源を設けて（操作３０８）、および電子源から固体セレン含有粒子に電子が移動する条件を提供して（操作３０９）、固体セレン含有粒子の水中への溶解性を低下させる（操作３１０）。いくつかの実施形態では、本発明の方法は、沈殿したセレン化合物を前記水から分離すること（操作３０６）をさらに含んでもよい。
【００５４】
本明細書の前述で議論したように、水中の固体セレン含有粒子、例えばセレン除去システムの下流部の水中では、セレンを前記水に再溶解し得る有害な酸化にさらされる可能性がある。再溶解されたセレンは、前記水中のセレン濃度を増加させる。本明細書で前述に開示された方法は、前記水中のセレンの溶解を低下させるために使用してもよい。例えば、ＺＶＩが生成した電子または電極もしくは他の電子源によって生成された電子を供給することによって、溶解したセレンと固体セレン含有粒子との間の平衡反応は、前記固体セレンの生成にとって有利に働くため、前記水へのセレンの溶解を低下または阻害する。
【００５５】
本明細書で開示されるシステムおよび方法は、固体セレン含有粒子を前記水から除去するように構成された磁気分離チャンバ、遠心分離機、膜フィルタ、カートリッジフィルタ、または流体サイクロンの使用を適用してもよい。例えば、容器に前記水を導入する前に、固体セレン含有粒子の少なくとも一部を前記水から除去してもよい。いくつかの実施形態では、沈殿した金属セレン化合物の少なくとも一部を前記水から分離してもよい。
【００５６】
膜及びカートリッジフィルタを使用して、少なくとも一部の固体セレン含有粒子を水から除去してもよい。膜及びカートリッジフィルタは、特定の細孔サイズ規格を有する多孔質フィルムを含む。膜及びカートリッジフィルタは、物理的機械分離方式によって固体セレン含有粒子を分離するように構成してもよい。いくつかの実施形態では、膜フィルタは、マイクロポーラスフィルタ、ナノポーラスフィルタ、極細フィルタ、スクリーン、またはふるいを含む。特定の実施形態では、カートリッジフィルタは、１〜５０ミクロンの規格、活性炭、またはその両方を有するポーラスフィルムを含む流動性フィルタ（ｆｌｏｗｍａｔｉｃ  ｆｉｌｔｅｒ）であってもよい。
【００５７】
遠心分離器は、懸濁固体を沈降させるように構成された工業用遠心分離機を用いてもよい。遠心分離機は、密度のより低い物質から密度のより高い物質を分離するために求心力加速を付加しうる。例えば、遠心分離機を容器に流体的に接続し、固体セレン含有粒子をスピンダウンさせて、より低濃度の固体セレン含有粒子を有する上澄み水を回収できるよう構成してもよい。より低濃度の固体セレン含有粒子を有する水は、実質的には固体セレン含有粒子を含まなくてもよい。
【００５８】
磁気分離を用いて固体セレン含有粒子を前記水から分離してもよい。いくつかの実施形態では、磁気感受性の固体セレン含有粒子は、磁気分離チャンバ内の磁石に引き寄せられる。引き寄せられた粒子は、前記水から分離されてもよい。磁気感受性の固体セレン含有粒子として、鉄、ニッケル、コバルト、およびビスマス粒子を含んでもよい。
【００５９】
液体懸濁液中の粒子を分離するために、液体サイクロンを使用してもよい。流体サイクロンは、求心力および流体抵抗を使用して液体の流れを密度または大きさで分離する。例えば、流体抵抗に対する求心力の比は、高密度または粗い流れについては高く、軽質または細流については低くしてもよい。高密度または粗い流れは、軽質または細流から分離され、これにより、一方の流れが液体サイクロンの第１の端部を出て、かつ反対の流れが液体サイクロンの第２の端部を出る。一般に、流体サイクロンは可動部分を有していない。分離運転は、流体サイクロンの幾何学的形状および供給流の特性によって行われる。従って、液体サイクロンは、固体セレン含有粒子を含む水流を水から分離するために連続的な反応において使用されてもよい。
【００６０】
本明細書で開示される方法は、前記水から沈殿したセレン化合物を分離して汚染除去水を生成することをさらに含んでもよい。特定の実施形態によれば、金属セレン化合物または沈殿した化合物は、本明細書で前述したように、磁気分離チャンバ、遠心分離機、膜フィルタ、カートリッジフィルタ、または流体サイクロンを用いて固体セレン含有粒子を含む水から分離され得る。磁気分離チャンバ、遠心分離機、膜フィルタ、カートリッジフィルタ、または流体サイクロンは、容器から下流部に流体的に接続されてもよい。いくつかの実施形態では金属セレン化合物または沈殿した化合物は、沈降によって沈殿タンク、曝気タンク、濃縮タンクまたは沈降タンク内で分離することができる。汚染除去水は、約２．０〜約６．０ｐｐｂのセレンを含んでもよい。いくつかの実施形態において、汚染除去水は、約４．０ｐｐｂ未満のセレンを含む。いくつかの実施形態では、汚染除去水は、約０．５ｐｐｂのセレンと約２．０ｐｐｂのセレンを含む。例えば、汚染除去水は、約０．５ｐｐｂのセレンと１．５ｐｐｂのセレンとを含んでもよい。
【００６１】
別の態様によれば、溶解したセレン濃度を低減させる、または水中の固体セレンの溶解を低下させるためのシステムが提供される。例示的なシステムの概略図を図４に示す。本発明のシステムは、容器４０１と、少なくとも１種の固体金属源４０３と、電圧源４０４とを含んでもよい。いくつかの実施形態では、本発明のシステムは、容器に流体接続可能な水源４０２、容器４０１の入口部４０８、容器４０１の上流部に配置されたフィルタ４０５、および容器４０１の下流部に配置されたフィルタ４０６を含んでもよい。いくつかの実施形態では、容器４０１は、容器４０１から水および／または金属セレン化合物を排出するように構成された出口部４０７を備えてもよい。いくつかの実施形態では、参照符号４０５および／または４０６の要素は、遠心分離機、液体サイクロン、または磁気分離チャンバを追加的または代替的に表すものである。いくつかの実施形態では、システムは、１以上のワイヤ、正電極（図示せず）、および／または負電極（図示せず）を含んでもよい。容器は、固体セレン含有粒子を有する水源に流体的に接続可能であってもよい。例えば、水源は、容器の入口部に流体的に接続可能であってもよい。いくつかの実施形態では、水源は、金属共沈反応器または生物反応器であってもよい。例えば、水源はＺＶＩ反応器であってもよい。固体セレン含有粒子は、セレンを水から除去するように構成された上流部の反応器内で形成された鉄セレン粒子またはその他の金属セレン粒子を含んでもよい。
【００６２】
いくつかの実施形態では、容器は、水源から下流部に配置された反応器、タンク、または導管を含んでもよい。容器は、水源の下流部に配置され、かつ処理済水をさらに処理するように構成された浄化器または曝気タンクを含んでもよい。容器は大気に晒されるか、または密閉される。
【００６３】
本明細書の前述で議論したように、少なくとも１種の固体金属源は、セレンと結合し実質的に水不溶性の金属セレン化合物を形成する金属を含んでもよい。固体金属源は、容器内に配置されてもよい。いくつかの実施形態では、固体金属源は、１種以上の固体金属ユニットを含んでもよい。１種以上の固体金属ユニットはそれぞれ、電圧源、互いに電気的に接続された１以上の正電極または負電極、またはそれらの組み合わせに対して電気的に接続されてもよい。
【００６４】
いくつかの実施形態では、システムまたは固体金属源は、少なくとも一部が金属で形成された、１以上の容器または導管を含んでもよい。例えば、容器または前記容器に流体的に接続された導管は、金属を含む露出面を裏打ちすることまたは前記露出面を含んでもよい。裏面または露出面は、前記水と流体的接触してもよい。裏面または露出面は、さらに電圧源と電気的に接触していてもよい。したがって、いくつかの実施形態では、容器または導管に正の電圧が印加され、そして結果として電子が流れることにより負電極には電子を輸送し、また固体セレン含有粒子を有する水には金属の陽イオン体を輸送するように構成される。
【００６５】
電圧源は、少なくとも１つの固体金属源に電気的に接続可能である。いくつかの実施形態では、電圧源は、固体金属源と接触する正電極であってもよい。特定の実施形態では、バッテリ、発電機、自然のエネルギー源、または少なくとも１つの固体金属源に接続可能な任意の他の電圧源を、１以上のワイヤによって接続してもよい。
【００６６】
いくつかの実施形態では、システムは、容器の上流部に配置されたフィルタをさらに備えてもよい。フィルタは、固体のセレン含有粒子を水源から除去するように構成することができる。フィルタは、例えば、本明細書で前述に議論したように、膜フィルタまたはカートリッジフィルタを使用してもよい。いくつかの実施形態では、システムは、金属セレン化合物を水から分離するように構成された容器の下流部に配置されるフィルタを含む。
【００６７】
特定の実施形態によれば、容器は、本明細書で前述に議論したように、遠心分離機、液体サイクロン、または磁気分離チャンバに流体的に接続してもよい。遠心分離機、液体サイクロンまたは磁気分離チャンバは、固体セレン含有粒子を除去する、または金属セレン化合物を水から分離するように構成されてもよい。遠心分離機、液体サイクロンまたは磁気分離チャンバは、それぞれ容器の上流部または下流部に配置してもよい。
【実施例】
【００６８】
例：銅塩
Ｐｉｒｏｎｏｘ（登録商標）ゼロ価の鉄システム（エヴォクワ  ウォーターテクノロジーズ  ワレンデール、ピーエイ）を用いて、石油精製所内でストリップドサワー水（ＳＷＳ）のサンプルを処理してセレンを除去するためのパイロット試験を行った。ＳＷＳ中のセレンは、当初セレノシアネートの形態で存在する。
【００６９】
Ｐｉｒｏｎｏｘ（登録商標）パイロットでは、４つの１５００ガロンの連続撹拌タンク反応器（Ｒ１、Ｒ２、Ｒ３、およびＲ４）を直列に配置した。流入水は、Ｒ１を介して一連に注入され、続いてＲ２−Ｒ４を介して重力によって滝のごとく流れ落ちた。このプロセスにおいて、セレノシアネートは、金属セレンであるＳｅ（０）、およびセレン化物であるＳｅ（−ＩＩ）に変換された。Ｒ４からの汚水をサンプリングした。毎日採取したサンプルを用いて連日３回試験を行った。
【００７０】
試験ごとの汚水サンプルは、２つのコントロールサンプル（Ｃ１およびＣ２）および４つの実験サンプル（Ｓ３、Ｓ４、Ｓ５およびＳ６）のみから構成される。種々の濃度で汚水サンプルＳ３〜Ｓ６に硫酸銅、ＣｕＳＯ４・５Ｈ２Ｏを添加して、金属がセレンの除去を促進するか否かを測定した。
【００７１】
各サンプルを以下のように処理した：
サンプル内に沈降した固形分を再混合して当該固形分を懸濁させた。サンプルを２５分間通気して、Ｐｉｒｏｎｏｘ（登録商標）処理からの残留第一鉄を酸化させた。水酸化ナトリウム溶液を前記サンプルに添加して、ｐＨ７．０〜７．５に調整した。当該ｐＨ値が、水酸化鉄  Ｆｅ（ＯＨ）３としての酸化鉄の沈殿を促進した。アニオン性またはカチオン性ポリマーをさらに添加し、２分間混合して、沈殿した固体を凝結させた。混合後、当該固体を３０分間静置するようにした。サンプルを０．４５ミクロンのシリンジディスクフィルタで濾過し、硝酸に浸漬し、セレン分析をかけた。
【００７２】
表２は、処理されたサンプル中の定量された残留セレンおよび銅をまとめたものである。
表２：試験サンプル中のセレンおよび銅濃度
【００７３】
【表２】
2019504752.tif 000004
【００７４】
残留セレンに関する方法検出限界（ＭＤＬ）が２．１ｐｐｂであり、検出限界（ＤＬ）は０．０５ｐｐｂと推定された。表２の下線部の値は、ＭＤＬとＤＬとの間の定量化したセレン濃度を示す。一般に、ＤＬ（機器検出限界またはＩＤＬとも呼ばれる）は、汚染物質測定中に検出されたベースラインノイズ値より３標準偏差を超える汚染物質濃度として定義される。そのため定義上、ＤＬ未満の値は機器のノイズである。ＭＤＬは、予想されるＤＬ値に近い汚染物質のサンプルを試験することによって統計的に算出される。ＭＤＬは、当該方法が正確な結果を提供できる実際の能力より良い尺度である。しかしながら、ＭＤＬには、ランダムノイズとシステマティックエラー、さらにはベースラインノイズ値が含まれているため、一般的にはＤＬよりも高い値を示す。
【００７５】
各試験において、実験サンプル中のセレン濃度は、コントロールサンプル中のセレン濃度よりも低く、低濃度の銅イオンの添加は溶解したセレンを効果的に低下させることを示唆している。最小有効閾値レベルに達するまでは、試験したサンプルの銅濃度よりも低い銅濃度が、同様の結果を示すものと予想される。
【００７６】
したがって、固体セレン含有粒子を有する水を通気または酸化することにより、前記固体粒子からセレンを水に溶出させうる。水を含む容器中のセレンと結合する金属を導入すると、溶解したセレンが沈殿しうる。そして、沈殿したセレンを水から分離して、汚染除去水を生成しうる。
【００７７】
本明細書で使用される表現および用語は、説明のためのものであり、限定的であるとみなされるべきではない。本明細書で使用される用語「複数」は、２つ以上の品目または構成要素を表わす。用語「備える」、「含む」、「行う」、「有する」、「含む」および「包含する」は、記載された説明または請求項などのいずれにおいても、制限がない用語であり、換言すると、「含むがこれに限定されない」という意味である。したがって、そのような用語の使用は、その後に列挙された項目、およびそれらの等価物、さらには追加項目までも包含することを意味するものである。ただし、移行句「のみからなる」および「本質的にのみからなる」だけは、請求項の内容に関してそれぞれ閉鎖または一部閉鎖の移行句になる。特許請求の範囲における「第１」、「第２」、「第３など」などの序数用語がクレーム要素を修飾する使用それ自体は、あるクレーム要素のいかなる優先順位、優位性、または順序を意味するものではなく、方法における操作を行う上で、当該あるクレーム要素とは別のまたは仮の順位を意味するものであるが、ある名称を有する１つのクレーム要素を、クレーム要素を区別する目的で同じ名前を有する（ただし、序数の用語を使用する）他の要素と区別するためのラベルとしてのみ使用されるものである。
【００７８】
当業者であれば、本明細書に記載されたパラメータおよび構成は例示であり、実際のパラメータおよび／または構成は、開示された方法および材料を使用する特定の用途に依存していることを理解すべきである。当業者であれば、わずかな通常の実験を用いることで、開示された特定の実施形態と同等のものであると認識するか、または把握するものである。例えば、当業者であれば、本開示による方法およびその構成要素には、水中の溶解したセレンの濃度を低下させるためのシステムの構成要素であること、またはそのシステムもしくはネットワークをさらに含んでもよいことを認識することができる。したがって、本明細書に記載された実施形態は、添付の特許請求の範囲およびその等価物の範囲内で単なる例示として提示されるものであって；開示された実施形態は、具体的に記載されたものとは別の方法で実施することもできる。本発明のシステムおよび方法は、本明細書に記載される個々の特徴、システム、または方法のそれぞれに対して焦点が直接向けられている。
【００７９】
さらに、そのような特徴、システム、または方法が、相互に矛盾しない場合、そのような特徴、システム、または方法の２つ以上の任意の組み合わせは、本開示の範囲内に含まれる。本明細書に開示された方法の操作は、図示された順序もしくは交互の順序で実行されてもよく、方法は追加もしくは代替の動作を含んでもよく、または図示された操作の１つもしくは複数を省略して実行されてもよい。
【００８０】
さらに、当業者にとっては、様々な変更、修正、および改良が容易に起こりうることを理解されたい。そのような変更、修正、および改良は、本明細書の開示の一部であることを視野に入れており、本開示の趣旨および範囲内にあることが意図されている。  他の例では、既存施設を、本明細書に記載の方法およびシステムの任意の１以上の態様を利用しまたは組み込むように修正してもよい。したがって、場合によっては、本発明のシステムは、溶解したセレンを水から除去することを含んでもよい。したがって、前述の説明および図は単なる例示である。さらに、図面の描写は、開示内容を特に説明した表現に限定するものではない。
【００８１】
例示的な実施形態を本明細書内で開示しているが、特許請求の範囲に記載される本発明の態様およびそれらの等価物の趣旨および範囲から逸脱することなく、以下に揚げる特許請求の範囲の通り、それらの範囲内で多くの修正、追加および削除を行うことができる。
【図１】
2019504752.tif 000005
【図２】
2019504752.tif 000006
【図３】
2019504752.tif 000007
【図４】
2019504752.tif 000008
【国際調査報告】
2019504752.tif 000009